(57)【要約】      （修正有）【課題】沖縄県の土壌で海成堆積のクチャには古代の貝のかけらや珊瑚の死骸等に含有するカルシウムやミネラル分が豊富に含まれ、このカルシウムやミネラル分を利用して植物が栽培栽培可能な土壌を提供する。【解決手段】海成堆積のクチャを有効に利用する為に、クチャを固体に加工後又は海藻のモズクと混合して固体に加工後低温で加熱し、クチャに含有する貝の化石や珊瑚の死骸のカルシウムやミネラル分を多く含んだ新たな土壌に加工する。このクチャは水分の吸収率や保湿力が高く旱魃地域の農業に使用する事が可能になる。またクチャを高温で加熱すると固体に無数の空洞ができ、この空洞を利用して河川の汚染水や遊水地の水を浄化する。【選択図】図３
0003196007.tif 000002
【実用新案登録請求の範囲】
【請求項１】
海成堆積のクチャ及び海藻のモズクと混合し個体に加工後低温で加熱処理した土壌。
【請求項２】
海成堆積のクチャを固体に加工後高温で加熱処理した土壌。
【考案の詳細な説明】
【技術分野】
【０００１】本考案は海底に堆積した土壌の加工に関するものである。
【背景技術】
【０００２】沖縄の土壌は、ジャーガル．島尻マージ．国頭マージ．海成堆積のクチャ等で構成されているが、海成堆積のクチャは主に沖縄本島中南部に分布している。【０００３】海成堆積のクチャは、海底に堆積した泥炭からできた細かい粒子の土壌で、灰色または青灰色をした土壌である。【０００４】海成堆積のクチャは数百万年前、中国大陸から運ばれてきた土砂が海底に堆積した後、地上に隆起した土壌である。【０００５】海成堆積のクチャには、貝の化石や珊瑚の死骸等の炭酸カルシウム及びミネラル分を豊富に含有し、このクチャを低温又は高温で加熱すると赤褐色に変色する。【０００６】海成堆積のクチャは水分の吸収率は高いが、日照が続くとすぐに乾燥して固まつてしまう保水力の無い土壌で、植物の生育には適さない土壌である。【０００７】海成堆積のクチャには、水分が２０〜４０％、比重は２７０〜２８０で、水分を含むとすぐに軟化する。この吸水と乾燥を繰り返すため崩壊しやすく、大雨等の災害時には土砂崩れを起こし、災害をもたらす大変危険な土壌である。【０００８】海成堆積のクチャは、植物の生育に不適な土壌で、雑草も生育しない土壌である。
このクチャを植物の栽培が可能な土壌に改良する為には、海藻類のモズクと混合後、固形に加工して加熱すると保水力のある土壌になる。【０００９】海藻のモズクは９０％が水分である。モズクを乾燥して水分を除去すると、元の重量の２５分の１に乾燥される。即ち１キログラムのモズクが４０グラムに乾燥され、乾燥したモズクに水分を加えると、直ちに水分を吸収して元の２５倍の量に戻る。【００１０】海藻のモズクには食物繊維の他に、抗菌作用のあるフコイダンと呼ばれる物質を含有しているが、財団法人日本食品分析センターで分析した結果、モズクの粉末１００グラム中、フコイダンの一種であるフコースを２４．２グラム含有している。【００１１】海成堆積のクチャは吸水性があるが、乾燥するとすぐに固まってしまう保水性がない土壌である。このクチャに水の吸収率が大きい乾燥したモズクを混合すると、保水力のある土壌に加工され、この土壌を使用すると乾燥地に植物を栽培する事が可能になる。【００１２】海成堆積のクチャと、または海藻のモズクと混合して固体に加工後低温で加熱し、植物が栽培可能な土壌に加工する。【００１３】降雨量の少ない地域で植物を栽培する際、海成堆積のクチャと海藻のモズクと混合した土壌に水分を含有させて植栽すると、植物は３〜４週間水分を補給せずに栽培することが可能である。【００１４】考案者は、海成堆積のクチャを加熱し、又は海藻のモズクを混合して固体に加工後低温（１００〜２００度）で加熱して保水力のある土壌に加工する。更に海成堆積のクチャを固体に加工後高温（９００〜１，０００度）で加熱し、炭酸カルシウムやミネラル分を含有した土壌に加工するが、高温で加熱した土壌には極小で無数の空洞があき、この空洞にある炭酸カルシウムやミネラル分を利用して河川や遊水地の汚染水を浄化する土壌に加工する事を考案した。
【先行技術文献】
【００１５】
【特許文献】
【特許文献】平成１７年１１月７日  特許第３７３５８３９号公報（平成２０年１１月特許失効）乾燥モズクの製造方法
【非特許文献】
【００１６】
【非特許文献１】財団法人日本食品分析センター、分析試験成績書  平成１４年１２月２０日、第４０２１２０１１７−００１号
【非特許文献２】財団法人沖縄県環境科学分析センター、分析試験成績書  平成１７年６月２１日  第２００５−Ｂ００９２１−０１号
【考案の概要】
【考案が解決しようとする課題】
【００１７】地球上では毎年異常気象が発生して水害や日照り等の旱魃が続発している。特に旱魃が発生すると、主食の米麦等の栽培に大きな被害を生じ、住民は飢餓に苦しみ、食料や飲料水にこと欠いているのが現状である。【００１８】わが国でも各地で水害や旱魃が発生しているが、旱魃が発生すると植物の生育に大きく影響し、日常の野菜等が不足して消費者は困惑する。【００１９】わが国の農業は田畑を耕作して米や麦．野菜等を栽培する方法が主流である。近年野菜の栽培方法に土壌を使用しないで野菜を栽培する水耕栽培が開発された。
【課題を解決する手段】
【００２０】近年ハウス内で野菜を栽培する方法や、コンテナを使用して水耕栽培が盛んに実施されている。この水耕栽培等の大きな利点は、田畑で野菜を栽培するより季節や天候に左右される事なく、生産者が安定して野菜類を生産して市場に出荷する事ができる事である。
【００２１】水耕栽培では主に「葉野菜」を中心に栽培されているが、現在の水耕栽培では一部の葉野菜に限られ、「根菜類」の栽培は現在でも露地栽培が主流である。
【００２２】根菜類をハウス内で栽培するには、吸水性や水吐けの良い土壌が求められ、根菜等の栽培に土壌の代用として保水力のある無機質の化学製品を使用している。この化学製品の代りに吸収力の高い海成堆積のクチャを加工した土壌を使用する。
【考案の効果】
【００２３】海成堆積のクチャを低温で加熱すると、水分を吸収して保水力のある土壌に加工するが、この土壌で植物を栽培するとクチャに含有する貝のかけらや珊瑚の死骸、炭酸カルシウムやミネラル等の栄養分を利用した水耕栽培が可能になる。またこのクチャに海藻のモズクを混合した土壌を使用すると、モズクに含有するフコイダンが植物の生育を高める効果がある。
【００２４】海成堆積のクチャと海藻のモズクと混合して固体に加工後、低温（１００〜２００度）で加熱して吸水性のある土壌に加工する。この土壌を使用してハウスやコンテナ内で野菜を栽培すると、生産者は天候に左右される事なく、水や栄養分の管理が容易になり、効率的に野菜や根菜類を生産する事ができ、経済効果は大である。
【００２５】海成堆積のクチャ又はモズクを混合した固体を、低温で加熱処理した土壌で野菜を栽培するが、固体に加工されたクチャは数年後に崩壊し、炭酸カルシウムやミネラル分を含有した土壌に戻る。
【００２６】海成堆積のクチャを個体に加工後高温で加熱すると、個体に微小で無数の空洞ができる。この空洞を利用して個体に含有する炭酸カルシウムやミネラル分が水の汚染物を除去して水を浄化する効果がある。
【図面の簡単な説明】
【００２７】図１のａは、原料となる海成堆積のクチャを示した図面の代用写真である。
（実施例１）図１のｂは、海成堆積のクチャとモズクを混合する図面の代用写真である。
（実施例２）
図１のｃは、海成堆積のクチャとモズクを混合し固体に加工する方法を示した図面の代用            写真である。（実施例３）
図１のｄは、海成堆積のクチャとモズクを混合して各種固体に加工後、加熱した固体を示            した図面の代用写真である。（実施例４）
【考案を実施するための形態】
【００２８】沖縄の土壌である海成堆積のクチャは、これまで焼き物として茶器類や瓦等に加工されるだけの土壌であった。海成堆積のクチャには古代の貝のかけらや珊瑚の死骸が含有し、炭酸カルシウムやミネラル分の多い土壌である。このクチャに食物繊維や抗癌作用のあるモズクを混合して、これまで利用価値のないクチャを植物を植栽でき、しかも保水力のある土壌に加工すると、水耕栽培や根菜類を栽培する土壌に生まれ変わり優れた効果を発揮する。
【００２９】海成堆積のクチャに古代の貝のかけらや珊瑚の死骸も含有し、炭酸カルシウムやミネラル分が豊富な土壌である。このクチャを固体に加工後高温（９００〜１，０００度）で加熱すると、加熱したクチャに炭酸カルシウムやミネラル分を含んだ無数の空洞ができ、この空洞を使用して河川の汚染水を浄化する個体に加工する。
【実施例１】
【００３０】海成堆積のクチャの塊を田畑の土壌に使用するため粉末に加工する。
【実施例２】
【００３１】海成堆積のクチャと海藻のモズクを混合して固体に加工後、植物を栽培する土壌に加工する。
【実施例３】
【００３２】海成堆積のクチャと海藻のモズクと混合し、固体に加工後低温で加熱して個体の土壌に加工する。
【実施例４】
【００３３】海成堆積のクチャを固体に加工後高温で加熱して、水を浄化する土壌に加工する。
【産業上の利用可能性】
【００３４】海成堆積のクチャは、これまで有害無益な土壌として扱われてきたが、クチャに含有する貝のかけらや珊瑚の死骸等を有効に利用する。このクチャを個体に加工後低温で加熱し田畑の土壌に混合すると、微生物や昆虫類の生育する自然の土壌に加工する事ができる。【００３５】海成堆積のクチャを固体に加工後高温で加熱すると無数の空洞があき、空洞には古代の貝のかけらや珊瑚の死骸等にカルシウムやミネラル分が溶解しており、この貝のかけらや珊瑚の死骸等を利用すると。汚染した河川や遊水地等の水質を浄化する。
【符号の説明】
【００３６】ａ  準備した土壌のクチャの塊
ｂ  準備した土壌のクチャの粉末とモズクを混合する。
ｃ  準備した土壌のクチャの粉末とモズクを混合して固体に加工後低温（１００〜２００度）で加熱する。
ｄ  準備した土壌のクチャを固体に加工後、高温（９００〜１，０００度）で加熱する。
【図１】
0003196007.tif 000003
【図２】
0003196007.tif 000004
【図３】
0003196007.tif 000005
【図４】
0003196007.tif 000006
【手続補正書】
【提出日】平成26年11月13日(2014.11.13)
【手続補正１】
【補正対象書類名】実用新案登録請求の範囲
【補正対象項目名】全文
【補正方法】変更
【補正の内容】
【実用新案登録請求の範囲】
【請求項１】
原料の海成堆積のクチャを各種球形の形状を有する個体に加工後、低温又は高温で加熱処理した土壌。
【請求項２】
原料の海成堆積のクチャと海藻のモズクを混合して各種球形の形状を有する個体に加工後、低温又は高温で加熱処理した土壌。
【手続補正３】
【補正対象書類名】明細書
【補正対象項目名】００２７
【補正方法】変更
【補正の内容】
【００２７】
【図１】図１は、原料の海成堆積のクチャを示した図面の代用写真である。（実施例１）
【図２】図２は、原料の海成堆積のクチャとモズクを混合する図面の代用写真である。（実施例２）
【図３】図３は、原料の海成堆積のクチャとモズクを混合し各種球形状の固体に加工する方法を示した図面の代用写真である。（実施例３）
【図４】図４は、原料の海成堆積のクチャとモズクを混合し各種球形状の固体に加工後、低温又は高温で加熱した固体を示した図面の代用写真である。（実施例４）